(57)【要約】【課題】低コストで、大量の水や洗剤を一回一回流してしまうことがなく、半自動アーク溶接ワイヤー用の空樹脂製ボビン等を小ロット単位で細かく大きな槽に先入れ先出し管理しながら処理することができる方法、そのための槽、さらには部品や道具を提供すること。【解決手段】ループ状になった槽に入れた液体に物体（生物を含む。以下同じ）を触れさせループに沿って液体と物体を巡回させながら物体を液体に所望程度以上触れさせて回収する。ループは離散的な作業可能点（物体の投入、回収、状態確認や液体の煽りによる巡回）を設けるように蛇行させる。蛇行の程度の少ないより直線的な特定箇所をループの経路に設ける。特定箇所の前後に投入用の受け口や回収用の回収口を設け、直線を見通しながら少人数で作業できるようにする。槽は物体に対して十分深くするが、作業員による作業対象箇所では浅くなるように台やスロープを設ける。【選択図】図１
2014097446.tif 000002
【特許請求の範囲】
【請求項１】
ループ状になった槽に入れた液体に物体（生物を含む。以下同じ）を触れさせ
ループに沿って液体と物体を巡回させながら
物体を液体に所望程度以上触れさせて回収する方法。
【請求項２】
前記液体が水であり、前記物体が溶接用のワイヤーを巻いてあった樹脂製の空ボビンであり、
所望程度以上触れさせる最終目的が空ボビンに付着している異質物を取り除くことである
請求項１に記載の方法。
【請求項３】
前記ループが、槽の設置規模に比して十分な経路を確保するように蛇行している
請求項１又は２に記載の方法。
【請求項４】
前記蛇行により、
ループの経路中の離散した複数の部分について
一人の作業者が移動せずに作業しやすくしている
請求項１又は３に記載の方法。
【請求項５】
前記作業が、液体又は物体をループに沿って巡回させるための動作である、
請求項４に記載の方法。
【請求項６】
前記作業が、物体を投入又は回収する動作である、
請求項４に記載の方法。
【請求項７】
前記作業が、物体の状態を確認する動作である、
請求項４に記載の方法。
【請求項８】
前記蛇行の程度を、所定箇所で緩めるようにした
請求項４に記載の方法。
【請求項９】
ループの経路のうち前記所定箇所から液体が流れていく側に、
物体を投入しやすくするための受け口を設けた
請求項８に記載の方法。
【請求項１０】
ループの経路のうち前記所定箇所に液体が流れていく側に、
物体を回収しやすくするための回収口をつけた
請求項８に記載の方法。
【請求項１１】
より多くの物体を液体に触れさせるように、
槽の深さが物体の高さの２倍以上である、
請求項１から１０のいずれか一項に記載の方法。
【請求項１２】
作業者が槽中の物体に対して作業しやすくするよう
ループの経路のうち作業の多い部分を浅くするためスロープを設けた
請求項１から１１のいずれか一項に記載の方法。
【請求項１３】
ループの経路の折れ目がなだらかな曲面になるように加工した
請求項１から１２のいずれか一項に記載の方法。
【請求項１４】
請求項１から１３のいずれか一項に記載の方法を実施するための槽。
【請求項１５】
請求項１から１３のいずれか一項に記載の方法を実施するために槽に追加する部品又は道具（仕切り、台、スロープ、ホッパー、液体煽り具、物体回収具）。
【発明の詳細な説明】
【技術分野】
【０００１】
本発明は、物体（例えば半自動アーク溶接用のワイヤーを巻いてあった樹脂製空ボビン）を液体（例えば洗剤を含んだ水）に所望程度以上触れさせて回収する方法、そのための槽、部品又は道具に関するものである。
【背景技術】
【０００２】
半自動アーク溶接用のワイヤーが巻かれていた樹脂製空ボビン等を効率的にリサイクルするためには、空ボビン等に付着している表示用の紙等の異質物を取り除いたり、錆等が付着した跡を洗浄したりする必要がある。
【０００３】
水道ホースから出る水によって紙等を潤（ふや）かし同時に洗剤をつけたタワシ等で、この紙等を錆等の汚れも含めてこすり落としたりする作業は、大変な人手がかかり高コストであるだけでなく、大量の水や洗剤が一回一回再利用されずに流れてしまい、はがれた紙や錆等の回収も困難となる。また、一回一回流さずに再利用するため仕切りのない大きな槽（例えば、下記特許文献１のような洗浄槽）に大量の空ボビン等を入れて同様に行う場合には水や洗剤（同特許文献１では粉粒体３にあたるもの）の無駄は少ないが、槽中の各空ボビン等の状態を確認して紙等が潤けて錆等が落ちたものだけを回収したり、小ロット（５〜６個）で細かく槽に追加し、先に入れたロットを後に入れたロットより先出し回収するような管理ができないという問題があった。
【先行技術文献】
【特許文献】
【０００４】
【特許文献１】特開平１０−３０９５５０
【発明の概要】
【発明が解決しようとする課題】
【０００５】
本発明が解決しようとする課題は、低コストで、大量の水や洗剤を一回一回流してしまうことがなく、空ボビン等を小ロット単位で細かく大きな槽に先入れ先出し管理しながら処理することができる方法、そのための槽、さらには部品や道具を提供することである。
【課題を解決するための手段】
【０００６】
かかる課題を解決するため、請求項１の発明は、
ループ状になった槽（図１の１）に入れた液体に物体（生物を含む。以下同じ）を触れさせ
ループに沿って液体と物体（図２の２）を巡回させながら
物体を液体に所望程度以上触れさせて回収する方法、を提供する。
このループ構造（１）により、先に入れた物体（２）のロットが、ループを移動する間に所望程度以上液体に触れることを確保することができ、かつ、後に入れたロットよりも先出しで回収することができるようになる。
【０００７】
また、請求項２の発明は、
前記液体が水であり、前記物体が溶接用のワイヤーを巻いてあった樹脂製の空ボビン（２）であり、
所望程度以上触れさせる最終目的が空ボビンに付着している異質物（２ｐ）を取り除くことである方法、を提供する。
これにより、空ボビン（２）を随時追加しながら水に所望程度以上触れさせてから先入れ先出しで回収することが容易となる。
空ボビン（２）の、回転しやすい低い筒状の形状と、水に対する樹脂の浮力の程度により、本発明の方法を適切に実施することができる。水に、紙等を潤かすため、紙等を溶かすため又は錆等おとすための適当な洗剤を加えても同様である。
【０００８】
また、請求項３の発明は、
前記ループ（１）が、槽の設置規模に比して十分な経路を確保するように蛇行している
方法を提供する。
これにより、より多くの物体を又はより多くの時間かけて、一つのループで処理することが可能になる。
蛇行を含むループは、図１のように平面に規則的に配置することもできるが、処理工程の追加に応じて不規則に配置したり、（物体の比重が液体の比重に近いときは）蛇がとぐろを立体的に巻くように立体的に配置することも可能である。立体の場合、槽の設置面積あたりの物体収容処理量が平面よりもより多くなり有利だが、途中の経路の大部分はホース状（あるいは蛇の皮をループ状につなげたもの）となり、投入口（受け口）や回収口は立体の最も高い位置のホースに投入や収容のための開口部（図３のＤ）をあけたような状態とすることが有利である。
【０００９】
また、請求項４の発明は、前記蛇行により、ループの経路中の離散した複数の部分（図１の例の１ｂ）について
一人の作業者（図１の１ｗ）が（あまり又はほとんど）移動せずに作業しやすくしている方法を提供する。
これは、例えば、「ループの経路中の離散した複数の部分」同士が、そのループの経路において局所的に極端に大きな隔たりなく配置された状態（図１の例の１）とすることで実現することができる。極端に大きな隔たりが存在すると、その隔たりにある物体や水を作業者が定位置を移動せずに処理したり煽ったりできないため、作業効率が悪くなるためである。
図１のループ（図１の例の１）では、最も大きな隔たりが槽の縦の大きさの２倍に抑えられる。
【００１０】
また、請求項５の発明は、前記一人の作業者（１ｗ）が移動せずにする作業が、液体又は物体をループに沿って巡回させるための動作である方法を提供する。
このループに沿って巡回させるための動作としては、液体や物体を巡回させたい方向（離散した複数の部分によって方向は異なりうる。以下同じ）に煽る動作（図１の矢印方向等）、物体を巡回させたい方向へと液体に押し込んで投入する動作（図３の矢印方向等）、物体を巡回させてたい方向（図４の矢印方向等）へと液体から切り離して回収する動作、等が考えられる。
【００１１】
また、請求項６の発明は、前記一人の作業者が移動せずにする作業が、物体を投入又は回収する動作である方法を提供する。
物体を投入する動作は、上記巡回と伴うものに加え、単に上から追加する等、巡回のための力を加えない動作（図３のＦの投入の場合や、図１の例中の作業者（１ｗ）から近い蛇行路への投入等）も含む。これにより、あと少しだけ処理時間が必要なものは、ループの経路の途中に投入することを容易にしている。
物体を回収する動作は、上記巡回と伴うものに加え、単に真上に回収する等、巡回のための力を加えない動作も含む。これにより、既に処理が終わったものをループの経路の途中で回収すること（図１の例中の作業者（１ｗ）から近い蛇行路（１ｂ上部）からの回収等）を容易にしている。
【００１２】
また、請求項７の発明は、前記一人の作業者（１ｗ）が移動せずにする作業が、物体の状態を確認する動作である方法を提供する。
確認する動作とは、紙等が十分に潤けているかを目視したり手やタワシ等で擦ってみて確認する動作である。これにより、経路の途中（図１の例の作業者（１ｗ）に近い蛇行路（１ｂの上部）のでの完了確認等が容易になり、余計な処理を省いて処理効率を向上させることができる。
【００１３】
また、請求項８の発明は、前記蛇行の程度を、所定箇所（図１の１ｂ等）で緩めるようにした方法を提供する。これにより、巡回を煽る動作や、物体の状態を機械が検出する動作や、人間や機械が物体を投入したり回収したりする動作を、当該所定箇所で直線的に又は直線上で行うことができ、動作が単純化され、動作の精度が高まり、あるいは作業効率やエネルギー効率が高まる。
【００１４】
また、請求項９の発明は、ループの経路のうち前記所定箇所（図１の基本図の１ｂ等）から液体が流れていく側（図１の基本図の左下の角付近等）に、物体を投入しやすくするための受け口（図３のＤ、Ｅ、Ｆ等）を設けた方法を提供する。
受け口は、経路の大部分が閉じている場合の開口部（図３のＤ）、経路が部分的に広くなったところ（図３のＥ）、投入ホッパー状（又は投入ガイド状）の部分（図３のＦ）、等として実現することができる。
これにより、当該所定箇所にて効率的に煽った直後の液体が、投入された物体（２）を巡回方向に確実に押し流すことになり、物体の円滑な流れが促進され、また、十分な長さの処理経路（投入箇所から回収箇所までが順路的に遠く、回収箇所から投入箇所までが順路的に近い）を確保することにもつながる。また、作業員（１ｗ）が、物体を受け口に投入する作業、所定箇所で煽る作業、所定箇所に流れてくる巡回済の物体を所定箇所の直線で見通して二周目に入る前に回収する作業を、一人きりで行うことや二人以上で連携して行うことを、その所定箇所と受け口の近さと位置関係によって容易にする。
【００１５】
また、請求項１０の発明は、ループの経路のうち前記所定箇所（図１の基本図の１ｂ等）に液体が流れていく側（図１の基本図の右下の角付近等）に、物体を回収しやすくするための回収口をつけた方法を提供する。
回収口は、経路の大部分が閉じている場合の開口部（図３のＤ）、経路を一部狭くした部分（図４のＧ）、経路を一部浅くした部分（図４のＨ）、経路の一部の蛇行の程度を高めた部分（図４のＩ）、等として実現することができる。
これにより、当該所定箇所にて効率的に煽った後の液体の渦が、回収すべき物体を確実にひきつけることになり、物体の円滑な回収が促進され、また、十分な長さの処理経路（投入箇所から回収箇所までが順路的に遠く、回収箇所から投入箇所までが順路的に近い）を確保することにもつながる。また、作業員（１ｗ）が、所定箇所で煽る作業、物体（２）を回収口（Ｄ、Ｇ、Ｈ、Ｉ）で回収する作業、回収口では回収もれとなり所定箇所に流れてくる巡回済の物体を所定箇所の直線で見通して二周目に入る前に回収しつくす作業、さらには回収が必要な物体と混同しないように新しいロットを当該所定箇所（図１の基本図の１ｂ等）に投入する作業を、一人きりで行うことや二人以上で連携して行うことを、その回収口と所定箇所の近さと位置関係によって容易にする。
【００１６】
また、請求項１１の発明は、より多くの物体（２）を液体に触れさせるように、槽の深さが物体の高さの２倍以上である方法（図５等）を提供する。
これにより、槽内で物体が他の物体に乗り上げた場合でも、乗り上げた物体を液体に万遍なく触れさせて確実に処理することが可能となる。
【００１７】
また、請求項１２の発明は、作業者が槽中の物体に対して作業しやすくするよう、ループの経路のうち作業の多い部分を浅くするためスロープ（図５の５ｂや５ａ）を設けた方法を提供する。
これにより、物体の高さよりも深い槽とした場合でも、作業する箇所については浅くなるため、物体を回収したり、物体の状態確認したり、液体を煽った力を表層だけでなく深層にも伝えやすくなる。
【００１８】
また、請求項１３の発明は、ループの経路の折れ目がなだらかな曲面（図１の１ｃ等）になるように加工した方法を提供する。
これにより、煽った力が、壁に垂直にぶつかることなく、ループの経路に沿って無駄なく波及し、効率的な巡回が行える。
【００１９】
また、請求項１４の発明は、上記方法を実施するための槽（１）を提供する。
このように形成した槽は、水や洗剤を無駄にしないよう貯めて用いれるようにするだけでなく、ループによる物体の先入れ先出しによる管理を実現し、物体の効率的な投入、巡回、状態確認、回収、取り回しを可能にする。
【００２０】
また、請求項１５の発明は、上記方法を実施するために槽に追加する部品又は道具（仕切り、台、スロープ、ホッパー、液体煽り具、物体回収具）を提供する。
仕切り（図１の１ｐ等）とは、経路になっていない槽に経路を形成するための鉄板、樹脂板、木製の板等であり、溶接、溶着、釘止め等により槽の底等に固定して用いることができる。
台（図５の５ａ等）は、槽の経路の一部を浅くするために沈めたり、槽の底に固定したりして用いる。
スロープ（図５の５ｂ等）は、台の両端をなだらかにしたり、槽や仕切りがなす直角を曲線にして巡回を容易にするために用いる。
ホッパー（図３の３ｆ等）は、投入口を形成するために槽に溶接、釘づけする等して用いる。
液体煽り具（図示しない）は、液体を巡回させるために煽るための杓子状の木や樹脂を用いることができる。
物体回収具（図１、図４で作業者１ｗがもっているもの等）は、柄のついた網等を用いることができる。また、液体煽り具と物体回収具を一体化（柄の一方を液体煽り具としもう一方を物体回収具としたり、表方向からの液体だけを透過させ裏方向ついては機構的に液体を透過させない網構造を用いる、等）して実現することもできる。
【発明の効果】
【００２１】
上記したとおり、先に入れた物体（２）のロットが、ループを移動する間に所望程度以上液体に触れることを確保することができ、かつ、後に入れたロットよりも先出しで回収することができるようになる。他、各発明について上記した効果がある。
【図面の簡単な説明】
【００２２】
【図１】図１は、本発明の基本的な実施形態（実施例１）で用いる槽を上から見た説明図及びより蛇行の繰り返し数を増やした別の例（実施例２）の説明図である。
【図２】図２は、本発明の処理対象となる物体（半自動アーク溶接ワイヤー用の空の樹脂製ボビン）の形と異質物として貼りついた紙の関係についての説明図（斜視図）である。
【図３】図３は、槽に物体を投入するための受け口の様々な態様ついての説明図である。
【図４】図４は、槽から物体を回収するための回収口の様々な態様についての説明図である。
【図５】図５は、槽において作業員が作業しやすくした所定箇所とゴミを掬うための機構の説明図である。
【発明を実施するための形態】
【００２３】
実施例１では、直径２８ｃｍ×高さ１０ｃｍの半自動アーク溶接用ワイヤーを巻いてあった空の樹脂製ボビン（２）を大量に処理（側面に貼られた紙製の管理シートをはがし、錆などの汚れをとる処理）するために、図１の基本形状（縦横２．８ｍ、深さ７０ｃｍ）を有する槽を、鉄板を溶接し錆止め用の表面処理をして作成（別の実施形態では、木製の板や樹脂板を溶着した上で金属で補強して作成）する。水深はボビン直径の２倍以上でありかつ槽高さから十分の余裕をもてるように、５６ｃｍ〜６０ｃｍとなるようにして処理する。
実施例２では、図１の右の例のように、実施例１を基本として蛇行の繰り返し数を増加させる。
他の実施例は、さらに蛇行の回数や槽の深さを大きくして一括大量処理や大量保管をも可能としたり、水と比重が近い物体について経路が立体的になるようにしたり、さらに図３から図５の各工夫を組み合わせて用いたものとしている。
いずれの例も、ループ状になった槽に入れた液体に物体（生物を含む。以下同じ）を触れさせループに沿って液体と物体を巡回させながら物体を液体に所望程度以上触れさせて回収する。ループは離散的な作業可能点（物体の投入、回収、状態確認や液体の煽りによる巡回）を設けるように蛇行させている（立体の場合も可能）。いずれも、蛇行の程度の少ない、より直線的な特定箇所（図１では１ｂと一致）を、ループの経路上に設ける。その特定箇所の前後に投入用の受け口（図３の各態様）や回収用の回収口（図３のＤや図４の各態様の組み合わせ）を設け、特定箇所の直線をも見通しながら少人数で作業できるようにする。槽は物体に対して十分深くする（ボビンの直径の２倍以上）が、作業員による作業対象箇所では浅くなるように台やスロープ（図５）を設ける。
いずれの実施例でも、使用する液体が複数回使用でき、蛇行していることで作業者があまり移動せずに作業することが可能である。
【実施例】
【００２４】
図１は、本発明の基本的な実施形態（実施例１）で用いる槽を上から見た説明図及びより蛇行の繰り返し数を増やした別の例（実施例２）の説明図である。
いずれの実施例の槽１も蛇行していることにより、設置面積あたりのボビンの収容数、処理数が向上している。
範囲１ｂは、実施例１及び実施例２の槽１において、あまり移動せずに作業できる範囲（実施例１：７０ｃｍ×２１０ｃｍ及び実施例２：１４０ｃｍ×５１０ｃｍ）となっている。なお、実施例２においては、十分長い柄のついた網を用いて、ボビンの状態の確認、回収、水の煽り、等を行うことを想定している。
曲面１ｃは、槽１の経路における曲面であり、角となる各場所に同様に設けている。
仕切り板１ｐは、槽１を形成するための仕切り板であり、槽の底や壁に溶接して設置する。
流れ１ｆは、人間の煽りによって生じる水の流れであり、ループ状の経路にそって巡回している。実施例２では、範囲１ｂが広いため、経路中の離散的な場所について作業（人による煽りや詰まりの解消等）をすることができる。なお、別の実施例では、水道ホースからの水道水の流れ込みや、電力によるジェット噴射により、このような水流を生じさせることもできる。
作業者１ｗは、作業用の道具（煽り、投入、回収、確認等のため）をもった作業者であり、この定位置であまり移動せずに作業できるようにしている。
【００２５】
図２は、本発明の処理対象となる物体（半自動アーク溶接ワイヤー用の空の樹脂製ボビン）の形と異質物として貼りついた紙の関係についての説明図（斜視図）である。
物体２（樹脂製ボビン）は、ＰＰ（ポリプロピレン）又はＰＳ（プロスチレン）製のボビンであり、溶接用のワイヤーを巻いてあったものである。
物体２に貼付された異質物（紙）２ｐは、手ですぐにとれるものの他、水に一定時間以上潤かすだけで自然ととれるもの、潤かした後にタワシ等で擦るととれるもの、潤かすだけでなく薬品をつけて擦ってはじめてとれるもの、等がある。
【００２６】
図３は、槽１に物体を投入するための槽１の受け口の様々な態様ついての説明図である。
開口部３ｄは、屋根付き経路における開口部であり、鉄板に穴を開ける等して作ることができる。
広い部分３ｅは、屋根無し経路において部分的に広い部分であり、物体を投入しやすくしている。
投入ホッパー部３ｆは、屋根無し経路へ投入するための投入ホッパー部であり、やはり物体を投入しやすくするとともに、長くすることでストックヤードから投入する際の労力の節約にもなりうる。
【００２７】
図４は、槽から物体を回収するための回収口の様々な態様についての説明図である。
図の部分Ｇは、経路の幅をせまくしている部分である。これにより、一個一個確認することを可能にし、十分に確認・回収しないまま通過してもう一周処理することなってしまうことを防ぐことができる。
なお、図中槽１には、壁の高さが他の部分より１４ｃｍ程度低くなっている水カサ調整開口部１ｄがあり、新しい水の水道ホース供給後の水カサが５６ｃｍ以上にならないようにしている。
また、固形異質物収容ネット１ｎは、水カサ調整開口部１ｄから水と一緒に流れ出す固形物を収容するネットであり、紙等固形物の回収を容易にしている。
図の部分Ｈは、経路の深さを浅くしている部分である。これにより、同様に十分確認しないまま底を素通りしてしまうことを防ぐことができる。
図の部分Ｉは、経路の蛇行の程度を高めた部分である。これにより物体が流れる速度を抑制することができ、また、物体の自転にもつながり、十分な状態確認を容易にする。
【００２８】
図５は、槽１において作業員１ｗが作業しやすくした所定箇所（図１の１ｂ等）とゴミを掬うための機構の説明図である。
台５ａは、図４の図の部分Ｈに該当し、経路の一部を浅くするための台（砂入り容器（樹脂製）、他の実施例では鉄骨で支えた鉄板）である。これにより、所定箇所を浅くし、底からの素通りを防ぎ、上からの視認性もよくし、物体（ボビン）の処理状態確認を容易にする。
スロープ５ｂは、図４のＨの一部に該当し、経路の一部を浅くかつ煽りやすくするためのスロープ（砂入り容器（樹脂製）、他の実施例では鉄骨で支えた鉄板）であり、これにより、物体（ボビン）の台（５ａ）への駆け上がりを容易にし（右のスロープ）、煽りによる水の巡回のためのエネルギーが経路の深部にも届きやすくなる。
浮遊ゴミ５ｄは、紙等の浮遊ゴミであり、浮遊ゴミ掬い網５ｎは、これを表層で掬って回収するための浮遊ゴミ掬い網（固定式）である。これにより、紙等の回収を容易にし、水の透明度を上げて物体の確認を容易にする。
【産業上の利用可能性】
【００２９】
本発明は、大量の物体を所定時間以上液体にふれさせて処理してから回収する技術に広く適用することができる。
【００３０】
また、蛇行部を多くすることで処理する距離・時間が長くなり、湿潤能力や洗浄能力をより高めることも可能である。
【符号の説明】
【００３１】
１  槽
１ｂ  あまり移動せずに作業できる範囲
１ｃ  槽の経路における曲面
１ｄ  水カサ調整開口部
１ｎ  固形異質物収容ネット
１ｐ  槽を形成するための仕切り板
１ｆ  水の流れ
１ｗ  作業用の道具（煽り、投入、回収、確認等のため）をもった作業者
２  物体（樹脂製ボビン）
２ｐ  異質物（紙）
３ｄ  屋根付き経路における開口部
３ｅ  屋根無し経路において部分的に広い部分
３ｆ  屋根無し経路へ投入するための投入ホッパー部
５ａ  経路の一部を浅くするための台（砂入り容器（樹脂製）又は鉄骨で支えた鉄板）
５ｂ  経路の一部を浅くかつ煽りやすくするためのスロープ（砂入り容器（樹脂製）又は鉄骨で支えた鉄板）
５ｄ  浮遊ゴミ
５ｎ  浮遊ゴミ掬い網（固定式）
Ｇ  経路の幅をせまくしている部分
Ｈ  経路の深さを浅くしている部分
Ｉ  経路の蛇行の程度を高めた部分
【図１】
2014097446.tif 000003
【図２】
2014097446.tif 000004
【図３】
2014097446.tif 000005
【図４】
2014097446.tif 000006
【図５】
2014097446.tif 000007